(57)【特許請求の範囲】
【請求項１】
第１の画像を表示するサブ画素と第２の画像を表示するサブ画素が交互に隣接し、前記第１の画像と前記第２の画像を含む合成画像が入力される表示基板と、該入力された合成画像の第１の画像と第２の画像をスリットにより夫々異なる視方向に判別可能に遮光する遮光バリアを備えた遮光バリア基板と、を有し、前記表示基板及び前記遮光バリア基板にそれぞれ表示領域及び該表示領域を囲む表示枠が設定された２画像表示パネルであって、
前記２画像表示パネルは前記表示基板のサブ画素と前記遮光バリアとの相対的な位置が異なる複数の形態を有し、前記表示枠に前記複数の形態についてそれぞれ判別するための複数の判別領域が設けられ、前記遮光バリア基板の前記複数の判別領域には前記表示基板を視認可能とする開口がそれぞれ設けられ、前記表示基板の前記複数の判別領域には前記開口から選択的に視認可能な判別手段が設けられていることを特徴とする２画像表示パネル。
【請求項２】
前記複数の判別領域のそれぞれに形成された前記開口は、互いに形状が異なることを特徴とする請求項１に記載の２画像表示パネル。
【請求項３】
前記判別手段は、前記表示基板に形成されたカラーフィルタからなることを特徴とする請求項１に記載の２画像表示パネル。
【請求項４】
前記複数の判別領域のそれぞれに形成された前記カラーフィルタは、互いに色が異なることを特徴とする請求項３に記載の２画像表示パネル。
【請求項５】
前記判別手段は、前記表示基板に形成された反射板からなることを特徴とする請求項１に記載の２画像表示パネル。
【請求項６】
第１の画像を表示するサブ画素と第２の画像を表示するサブ画素が交互に隣接し、前記第１の画像と前記第２の画像を含む合成画像が入力される表示基板と、該入力された合成画像の第１の画像と第２の画像をスリットにより夫々異なる視方向に判別可能に遮光する遮光バリアを備えた遮光バリア基板と、を有し、前記表示基板及び前記遮光バリア基板にそれぞれ表示領域及び該表示領域を囲む表示枠が設定された２画像表示パネルであって、
前記２画像表示パネルは前記表示基板のサブ画素と前記遮光バリアとの相対的な位置が異なる複数の形態を有し、前記表示枠に前記複数の形態を判別する判別領域が設けられ、前記表示基板の前記判別領域には前記複数の形態にそれぞれ対応する複数の判別手段が設けられ、前記遮光バリア基板の前記判別領域には前記複数の形態に対応する特定の前記判別手段を視認可能とする開口が設けられていることを特徴とする２画像表示パネル。
【請求項７】
前記複数の判別手段は、それぞれ形状が異なることを特徴とする請求項６に記載の２画像表示パネル。
【請求項８】
前記複数の判別手段は前記表示基板に設けられたカラーフィルタからなり、前記複数の判別手段のそれぞれを構成するカラーフィルタは、互いに色が異なることを特徴とする請求項６に記載の２画像表示パネル。
【請求項９】
前記複数の判別手段は前記表示基板に設けられた反射板からなることを特徴とする請求項６に記載の２画像表示パネル。
【発明の詳細な説明】
【技術分野】
【０００１】
本発明はナビゲーション装置の表示装置等に用いられる２画像表示パネルに関するものである。詳しくは、視方向により異なる映像を表示することが可能なものであって、この異なる映像の視認角度の設定値に基づいて変更されるパネル構成を容易に判別することが可能な２画像表示パネルに関するものである。
【背景技術】
【０００２】
自動車等に搭載される車載ナビゲーション装置においては、軽量、薄型、低消費電力という特徴点からその表示手段として液晶表示パネルが多く用いられている。また、この車載ナビゲーション装置においては、運転席と助手席とで異なる映像、例えば運転席からはナビゲーション画面が視認でき、助手席からはビデオ再生画面が視認できるいわゆる２画像表示パネルが使用されているものがある。
【０００３】
このような２画像表示パネルとしては、例えば下記特許文献１に開示されているように、第１の映像を表示するサブ画素と第２の映像を表示するサブ画素とを交互に配設した表示基板の表示面に複数のスリットを有する遮光バリア基板を重畳配置することにより第１及び第２の映像をそれぞれ異なる視方向に規制して表示を行っている。また、下記特許文献２には、遮光バリア基板（光遮蔽部）の遮蔽位置を可変して視野領域を変更することも行われている。このように視野領域を変更することは、運転者にビデオ画像など運転に支障をきたすような画像を見え難くしたり、助手席側からもナビゲーション画面を見ることができるようにしたりできるという点でフレキシブルな対応が可能となる。
【特許文献１】特開２００６−１８４８５９号公報
【特許文献２】特開２００６−１８４８６０号公報
【発明の開示】
【発明が解決しようとする課題】
【０００４】
ところで、上記特許文献２に開示されたもののように、ユーザからの要望等に基づき、第１の映像と第２の映像の視認角度を適宜調整することが各メーカー等により行われている。しかしながら、その視認角度はメーカーや製品によってまちまちであり、しかも従来の２画像表示パネルにおいては外見上その視認角度を特定することは不可能であるため、パネル製造過程ではその視認角度がどのように調整されているかが分からない。したがって、パネル製造メーカーにおいてはどの製品がどのように視認角度を設定しているかが分からず、適正な製品であるかを確認するためには、実際に表示パネルを動作させて確認するしかなかった。
【０００５】
本発明は上記問題点に鑑みてなされたものであって、本発明の目的は、遮光バリア基板が有する遮光バリアの僅かな規制位置の違いによって調整される２画像表示パネルの視認角度を一見して確認することができる２画像表示パネルを提供することである。
【課題を解決するための手段】
【０００６】
上記目的を達成するために、本願の１態様に係る２画像表示パネルは、第１の画像を表示するサブ画素と第２の画像を表示するサブ画素が交互に隣接し、前記第１の画像と前記第２の画像を含む合成画像が入力される表示基板と、該入力された合成画像の第１の画像と第２の画像をスリットにより夫々異なる視方向に判別可能に遮光する遮光バリアを備えた遮光バリア基板と、を有し、前記表示基板及び前記遮光バリア基板にそれぞれ表示領域及び該表示領域を囲む表示枠が設定された２画像表示パネルであって、前記２画像表示パネルは前記表示基板のサブ画素と前記遮光バリアとの相対的な位置が異なる複数の形態を有し、前記表示枠に前記複数の形態についてそれぞれ判別するための複数の判別領域が設けられ、前記遮光バリア基板の前記複数の判別領域には前記表示基板を視認可能とする開口がそれぞれ設けられ、前記表示基板の前記複数の判別領域には前記開口から選択的に視認可能な判別手段が設けられていることを特徴とする。
【０００７】
上記態様に係る２画像表示パネルによれば、開口から視認可能な判別手段が何れの判別領域から視認できるかによって、２画像表示パネルが複数の形態のいずれの形態であるかを２画像表示パネル単体で判別することができる。すなわち、従来であれば２画像表示パネル、例えば２画面液晶表示パネルにおいては、液晶駆動用のドライバやＦＰＣを取り付けて表示させなければ２画面液晶表示パネルの誤使用検査ができず、誤使用のときはドライバとＦＰＣの損失が生じた。しかしながら、本発明を適用すれば２画像表示パネル単体で検査できるために、ドライバとＦＰＣの損失は生じない。また、この２画像表示パネルにおいては複数の形態間の差異は遮光バリア基板の遮光バリアの構成のみであるので、表示基板は共通のものを使用することができる。また、開口は遮光バリアを取り除くことにより簡単に形成することができるので、製造工数が増加することはない。
【０００８】
また、上記発明において、前記複数の判別領域のそれぞれに形成された前記開口は、互
いに形状が異なると好ましい。
【０００９】
上記好ましい態様によれば、開口の形状を例えば遮光バリアの状態を示すような形状と
すれば、開口の形状を視認するだけでどのような遮光バリア基板が用いられているかを認
識することができるようになる。
【００１０】
また、上記発明において、前記判別手段は、前記表示基板に形成されたカラーフィルタ
からなると好ましい。
【００１１】
上記好ましい態様によれば、判別手段としてカラーフィルタを用いることにより、通常
の表示基板で用いられているカラーフィルタの形成時に同時にこの判別手段としてのカラ
ーフィルタを形成できるので、製造工数を増加させることがない。
【００１２】
また、上記発明において、前記複数の判別領域のそれぞれに形成された前記カラーフィ
ルタは、互いに色が異なると好ましい。
【００１３】
上記好ましい態様によれば、カラーフィルタの色の差異により、容易に２画像表示パネルの形態を認識することができるようになる。
【００１４】
また、上記発明において、前記判別手段は、前記表示基板に形成された反射板からなる
と好ましい。
【００１５】
上記好ましい態様によれば、判別手段として反射板を用いることにより、開口からの視
認がより容易になる。
【００１６】
本願の他の態様にかかる２画像表示パネルは、第１の画像を表示するサブ画素と第２の画像を表示するサブ画素が交互に隣接し、前記第１の画像と前記第２の画像を含む合成画像が入力される表示基板と、該入力された合成画像の第１の画像と第２の画像をスリットにより夫々異なる視方向に判別可能に遮光する遮光バリアを備えた遮光バリア基板と、を有し、前記表示基板及び前記遮光バリア基板にそれぞれ表示領域及び該表示領域を囲む表示枠が設定された２画像表示パネルであって、前記２画像表示パネルは前記表示基板のサブ画素と前記遮光バリアとの相対的な位置が異なる複数の形態を有し、前記表示枠に前記複数の形態を判別する判別領域が設けられ、前記表示基板の前記判別領域には前記複数の形態にそれぞれ対応する複数の判別手段が設けられ、前記遮光バリア基板の前記判別領域には前記複数の形態に対応する特定の前記判別手段を視認可能とする開口が設けられていることを特徴とする。
【００１７】
上記他の態様に係る２画像表示パネルによれば、開口から視認可能な判別手段が何れの形態に対応しているかを判別することによって、２画像表示パネルが複数の形態のいずれの形態であるかを２画像表示パネル単体で判別することができる。すなわち、従来であれば２画像表示パネル、例えば２画面液晶表示パネルにおいては、液晶駆動用のドライバやＦＰＣを取り付けて表示させなければ２画面液晶表示パネルの誤使用検査ができず、誤使用のときはドライバとＦＰＣの損失が生じた。しかしながら、本発明を適用すれば２画像表示パネル単体で検査できるために、ドライバとＦＰＣの損失は生じない。また、この２画像表示パネルにおいては複数の形態間の差異は遮光バリア基板の遮光バリアの構成のみであるので、表示基板は共通のものを使用することができる。また、開口は遮光バリアを取り除くことにより簡単に形成することができるので、製造工数が増加することはない。
【００１８】
また、上記発明において、前記複数の判別手段は、それぞれ形状が異なると好ましい。
【００１９】
上記好ましい態様によれば、開孔から視認できる判別手段の形状を例えば遮光バリアの
状態を示すような形状とすれば、判別手段の形状を視認するだけでどのような遮光バリア
基板が用いられているかを認識することができるようになる。
【００２０】
また、上記発明において、前記複数の判別手段は前記表示基板に設けられたカラーフィ
ルタからなり、前記複数の判別手段のそれぞれを構成するカラーフィルタは、互いに色が
異なると好ましい。
【００２１】
上記好ましい態様によれば、判別手段としてカラーフィルタを用いることにより、通常の表示基板で用いられているカラーフィルタの形成時に同時にこの判別手段としてのカラーフィルタを形成できるので、製造工数を増加させることがない。また、複数の判別手段を構成するカラーフィルタの色を異ならせることにより、容易に２画像表示パネルの形態を認識することができるようになる。
【００２２】
また、上記発明において、前記複数の判別手段は前記表示基板に設けられた反射板から
なると好ましい。
【００２３】
上記好ましい態様によれば、判別手段として反射板を用いることにより、開口からの視
認がより容易になる。
【発明を実施するための最良の形態】
【００２４】
以下、図面を参照して本発明の最良の実施形態を説明する。但し、以下に示す実施形態は、本発明の技術思想を具体化するための２画面表示パネル（２画像表示パネル）を例示するものとして、２画面液晶表示パネルを例にとり説明したものであって本発明をこの２画面液晶表示パネルに特定することを意図するものではなく、特許請求の範囲に含まれるその他の実施形態、例えば有機ＥＬ素子を用いた２画面表示パネルなどにも等しく適応し得るものである。
【００２５】
図１は第１実施形態に係る２画面液晶表示パネルを示す正面図である。図２は第１の態
様としての２画面液晶表示パネルを示した図１のII−II線の断面図である。図３は第２の
態様としての２画面液晶表示パネルを示した図２に対応する断面図である。図４は第３の
態様としての２画面液晶表示パネルを示した図２に対応する断面図である。図５は図２〜
図４に示す状態と第１及び第２の判別領域に視認されるマークとの関係を示す表である。
図６は第１実施形態の変形例を示すものであって図３に対応する断面図である。図７は第
２実施形態に係る２画面液晶表示パネルを示す正面図である。図８は第１の態様としての
２画面液晶表示パネルを示した図８のVIII−VIII線の断面図である。図９は第２の態様と
しての２画面液晶表示パネルを示した図８に対応する断面図である。図１０は第３の態様
としての２画面液晶表示パネルを示した図８に対応する断面図である。図１１は図８〜図
１０に示す状態と判別領域に視認されるマークとの関係を示す表である。
【００２６】
第１実施形態に係る２画面液晶表示パネル１は、図１及び図２に示すように、液晶表示
基板１０と遮光バリア基板２０とを積層配置し透明材料からなる接着剤４１を用いて接着
したものである。また、この液晶表示基板１０と遮光バリア基板２０の積層体の表面及び
背面にはそれぞれ偏光板４２、４３が取り付けられており、さらに背面に取り付けられた
偏光板４３の背面にはバックライトＢＬが配設されている。
【００２７】
液晶表示基板１０は、公知の液晶表示装置に用いられるものと同様の構造を備えたもの
を使用できる。その構成について簡単に述べれば、表面に各種配線が形成されたアレイ基
板と、表面に遮光層ＢＭと複数色、例えばＲ（赤）、Ｇ（緑）、Ｂ（青）のカラーフィル
タ層が設けられたカラーフィルタ基板と、を備え、これらの基板を対向させてシール材に
より貼り合わせ、内部に液晶を封入することで形成されるものである。
【００２８】
そして、この液晶表示基板１０の液晶が封入された領域が画像表示を行う表示領域ＤＡ
を構成し、この表示領域ＤＡの外周囲は配線の引回し等が行われる領域としての表示枠Ｆ
Ａとなっている。なお、液晶表示基板１０は遮光バリア基板２０より大きなものが使用さ
れており、この液晶表示基板１０に遮光バリア基板２０を積層された状態で外部に露出す
る張り出し部１０ａを備え、この張り出し部１０ａには液晶駆動用のドライバやＦＰＣ（
Flexible Printed Circuit）の取り付けが行われる領域となっている。
【００２９】
また、この液晶表示基板１０の各サブ画素は、第１の画像と第２の画像、例えばナビゲ
ーション画像とビデオ再生画像を表示するものにそれぞれ分かれている。詳しくは、例え
ば横方向に沿って第１の画像を表示するサブ画素と第２の画像を表示するサブ画素が交互
に配列されている。そして、これらのサブ画素にはカラーフィルタ層がそれぞれ対応して
設けられている。なお、図２においては、第１の画像を表示するサブ画素のカラーフィル
タ層には色毎に符号ＲＬ、ＧＬ、ＢＬをそれぞれ付与し、第２の画像を表示するサブ画素
のカラーフィルタ層には色毎に符号ＲＲ、ＧＲ、ＢＲをそれぞれ付与して示している。
【００３０】
遮光バリア基板２０は、ブラックマトリクス等で形成された遮光バリア２１を備えてい
る。この遮光バリア２１は、遮光バリア基板２０の全面に塗布されているとともに、第１
の画像を表示するサブ画素を透過した光を一方、例えば２画面液晶表示パネルの左側に位
置する席側にのみ透過し、第２の画像を表示するサブ画素を透過した光を他方、例えば２
画面液晶表示パネル１の右側に位置する席側にのみ透過するようにその視方向を規制する
ものである。さらに詳しくは、この遮光バリア２１には例えば縦方向に沿って複数本のス
リット２２が所定間隔を空けて形成されており、このスリット２２を通過した光が特定の
視認領域からのみ視認できるようにしたものである。
【００３１】
以上のような構成の液晶表示基板１０及び遮光バリア基板２０を備える２画面液晶表示
パネルによれば、図２に示すように、表示領域ＤＡの中心線ＣＬから左右に等角度で第１
及び第２の画像の視方向が規制されることになり、左右で異なる画像を表示可能となる。
なお、従来の２画面表示パネルは、図２に示すような中心線ＣＬから左右に等角度で視方
向が規制されるものがほとんどである。また、図２に示すものを以下には第１の態様とし
て説明する。
【００３２】
本実施形態に係る２画面液晶表示パネル１は、その表示枠ＦＡの一部、詳しくは額縁状
の表示枠ＦＡにおいて左右側面を形成する一対の短辺のほぼ中央部に、第１及び第２の判
別領域３０Ｌ、３０Ｒが設けられている。この第１及び第２の判別領域３０Ｌ、３０Ｒは
液晶表示基板１０と遮光バリア基板２０との相対位置を確認するための領域であり、車載
ナビゲーション装置等に実際に搭載された際には装置の筐体により覆われる部分に設けら
れる。なお、この第１及び第２の判別領域３０Ｌ、３０Ｒの位置は表示枠ＦＡ内であれば
何れの場所でもよく、またその個数も２個に限定されることなく３個又はそれ以上設けて
も良い。
【００３３】
液晶表示基板１０の表示枠ＦＡ部分は、通常、表示に寄与しない部分であるためカラー
フィルタ基板に設けられた遮光層ＢＭによって全面が被覆されている。しかしながら、第
１及び第２の判別領域３０Ｌ、３０Ｒに該当する位置の一部はこの遮光層ＢＭが設けられ
ておらず、代わって判別手段、詳しくはＲ、Ｇ、Ｂ何れかの色のカラーフィルタ層１２が
設けられている。なお、このカラーフィルタ層１２は第１の判別領域３０Ｌに該当する位
置の一部に設けられたものと第２の判別領域３０Ｒに該当する位置の一部に設けられたも
のとで異なる色のものを使用すると好ましい。ちなみに、本実施形態においては前者には
Ｒ（赤）のカラーフィルタ層１２を用い、後者にはＧ（緑）のカラーフィルタ層１２を用
いている。
【００３４】
また、好ましくは、このカラーフィルタ層１２の更に背面側にはアルミニウム等からな
る反射板１１が配設されている。なお、この第１及び第２の判別領域３０Ｌ、３０Ｒの一
部に形成されたカラーフィルタ層１２は、表示領域ＤＡ内に一般的に用いられているカラ
ーフィルタ層と同一材料及び同一工程で形成すればよいのでその製造工数が増加すること
はない。
【００３５】
また、遮光フィルタ基板２０の表示枠ＦＡは、通常、ブラックマトリクスからなる遮光
フィルタ２１がベタ状に延在されることで液晶表示基板１０と同様に遮光される。しかし
ながら、この遮光フィルタ基板２０においても、第１及び第２の判別領域３０Ｌ、３０Ｒ
に該当する位置の一部はこの遮光フィルタ２１が設けられておらず、開口２３Ｌ、２３Ｒ
（図３及び図４参照）となっている。なお、この開口２３Ｌ、２３Ｒは遮光フィルタ２１
にスリット２２を形成する際に同時に形成すればよいのでその製造工数が増加することは
ない。また、この開口２３Ｌ、２３Ｒの形状は単なる矩形状であってもよいが、より液晶
表示基板１０と遮光フィルタ基板２０の相対位置関係が分かりやすいよう、遮光フィルタ
基板２０のシフト方向を示す矢印（図５参照）状に形成すると好ましい。当然ながら、こ
のように矢印状とした場合には２つの開口２３Ｌ、２３Ｒの形状は互いに異なる形状とな
る。
【００３６】
以上の構成を備える２画面液晶表示パネル１において、第１及び第２の画像の視方向を
変更した場合の構成について以下に詳細に説明する。
【００３７】
先ず、図２に示す第１の態様としての２画面液晶表示パネル１は、視方向が中心線ＣＬ
に対して等角度に設定されている。この場合、第１及び第２の判別領域３０Ｌ、３０Ｒを
２画面液晶表示パネル１表面から目視すると、２つの開口２３Ｌ、２３Ｒは何れも液晶表
示基板１０の遮光層ＢＭによって遮光されているため単なる黒表示となる。
【００３８】
次に、視方向を変更した第２の形態として、２つの画像の視方向を左側にシフトした場
合について、図３を参照して説明する。
第２の形態の２画面液晶表示パネル１は、遮光フィルタ基板２０Ａが上記第１の形態に
示す遮光フィルタ基板２０と異なる。すなわち、この遮光フィルタ基板２０Ａは、図３に
示すように、液晶表示基板１０に対して僅かに左側にシフトした位置に遮光フィルタ２１
が設けられている。この場合には、図３と図２を対比すると明らかなように、第１及び第
２の画像の視方向が共に左側にシフトしている。この場合、左側座席に座ったユーザから
は第１及び第２の画像の何れも簡単に見ることができ、反対に右側座席に座ったユーザか
らは右側に表示された第２の画像は視認できるが左側に表示された第１の画像は簡単には
視認できなくなる。
【００３９】
このように２つの画像の視方向を左へシフトした場合、２画面液晶表示パネル１を表面
から見ると、第１及び第２の判別領域３０Ｌ、３０Ｒのうち、第２の判別領域３０Ｒにお
いては第１の形態と同様に開口２３Ｒとカラーフィルタ層１２とが平面視で重なることが
なく黒表示となる。しかしながら、第１の判別領域３０Ｌにおいては開口２３Ｌとカラー
フィルタ層１２とが平面視で重なる。したがって、この第１の形態に係る２画面液晶表示
パネル１を表面から見ると、第１の判別領域３０Ｌの開口２３Ｌからのみカラーフィルタ
層１２を通過した光が出射することになり、この開口２３Ｌを視認することが可能となる
。
【００４０】
次に、視方向を変更した第３の形態として、２つの画像の視方向を右側にシフトした場
合について、図４を参照して説明する。
第３の形態の２画面液晶表示パネル１は、遮光フィルタ基板２０Ｂが上記第１の形態に
示す遮光フィルタ基板２０と異なる。すなわち、この遮光フィルタ基板２０Ｂは、図４に
示すように、液晶表示基板１０に対して僅かに右側にシフトした位置に遮光フィルタ２１
が設けられている。この場合には、図４と図２を対比すると明らかなように、第１及び第
２の画像の視方向が共に右側にシフトしている。この場合、右側座席に座ったユーザから
は第１及び第２の画像の何れも簡単に見ることができ、反対に左側座席に座ったユーザか
らは左側に表示された第１の画像は視認できるが右側に表示された第２の画像は簡単には
視認できなくなる。
【００４１】
このように２つの画像の視方向を右へシフトした場合、２画面液晶表示パネル１を表面
から見ると、第１及び第２の判別領域３０Ｌ、３０Ｒのうち、第１の判別領域３０Ｌでは
第１の形態と同様に開口２３Ｒとカラーフィルタ層１２とが平面視で重なることがなく黒
表示となる。しかしながら、第２の判別領域３０Ｒにおいては開口２３Ｒとカラーフィル
タ層１２とが平面視で重なる。したがって、この第３の形態に係る２画面液晶表示パネル
１を表面から見ると、第２の判別領域３０Ｒの開口２３Ｒからのみカラーフィルタ層１２
を通過した光が出射することになり、この開口２３Ｒを視認することが可能となる。
【００４２】
図２〜図４を参照して示した第１〜第３の形態における第１及び第２の判別領域３０Ｌ
、３０Ｒの状況を図５にまとめている。この図５を見ると分かるとおり、３つの形態にお
ける判別領域３０Ｒ、３０Ｌの状態はそれぞれ異なるので、本実施形態に係る２画面液晶
表示パネル１は、表面から第１及び第２の判別領域３０Ｌ、３０Ｒを視認するのみで簡単
に液晶表示基板１０の各サブ画素と遮光フィルタ基板２０の遮光フィルタ２１との相対位
置関係が分かるようになる。なお、上記図２〜図４においては液晶表示基板１０の第１及
び第２の判別領域３０Ｌ、３０Ｒに反射板１１を形成したものを示したが、この反射板１
１がなくてもよく、その場合には２画面液晶表示パネル１の背面側から光を当てた状態で
第１及び第２の判別領域２３Ｌ、２３Ｒを視認すればよい。また、開口２３Ｌ、２３Ｒは
非常に微細な開口であるため確認ミスが生じる恐れがあるので、カラーフィルタ層１２の
色の変更と開口３０Ｌ、３０Ｒの形状の変更の両方を行うと、より確実な確認作業を実施
することが可能となる。また、従来であれば２画面液晶表示パネルに液晶駆動用のドライ
バやＦＰＣを取り付けて表示させなければ、２画面液晶表示パネルの誤使用検査ができず
、誤使用のときはドライバとＦＰＣの損失が生じた。しかしながら、本発明を適用すれば
２画面液晶表示パネル単体で検査できるために、ドライバとＦＰＣの損失は生じない。
【００４３】
（変形例）
上記第１実施形態においては液晶表示基板１０の第１及び第２の判別領域３０Ｌ、３０
Ｒにカラーフィルタ層１２と反射板１１を形成したものについて説明したが、図６に示す
ようにカラーフィルタ層１２が形成された位置に反射板１１を形成するのみとすることも
可能である。このような構成としても、上述した第１実施形態の２画面液晶表示パネル１
と同様の効果を奏することは明らかである。なお、図６は図３に示した第２の形態におけ
る変形例を示したものである。
【００４４】
次に、本発明の第２実施態様について、図７〜図１１を参照して説明する。なお、本実
施態様は判別領域の構成のみが上記第１実施態様のものと異なり、その他の構成は第１実
施態様のものと同一であるので、同一の構成からなる部分には同一の符号を付してその説
明を省略し、異なる点のみ以下に説明するものとする。
【００４５】
第２実施態様に係る２画面液晶表示パネル２は、上記第１実施態様に係る２画面液晶表
示パネル１がそれぞれの態様に対応して複数の判別領域、すなわち第１及び第２の判別領
域３０Ｌ、３０Ｒを備えているのに対し、１つの判別領域３５のみを備えている点が異な
るものである。
【００４６】
この１つの判別領域３５について詳述すると、液晶表示基板１５の判別領域３５に対応
する位置には、遮光フィルタ基板２５の遮光フィルタ２６にマトリクス状の開口が形成さ
れ、この開口をドットとして所定の判別形状を造形する位置に対応してカラーフィルタ層
が液晶表示基板１１の遮光層ＢＭに配設される。例えば後述する第１〜第３の形態の図８
〜図１０では遮光フィルタ２６の開口２８ａ、２８ｂ、２８ｃに対応してカラーフィルタ
層１６ａ、１６ｂ、１６ｃが形成され、これらの１６ａ、１６ｂ、１６ｃが判別形状を造
形するドットとなる。このようにして液晶表示基板１１に判別手段を構成する。そして、
このカラーフィルタ層１６ａ、１６ｂ、１６ｃが造形する形状は、後述する第１〜第３の
形態に対応してそれぞれ異なるものであると好ましい。なお、この形状に関してはどのよ
うなものでも良いが、第１〜第３の形態が液晶表示基板１５の第１及び第２の画像に対応
するサブ画素と遮光バリア２１との相対位置のみ異なることを勘案して、好ましくは遮光
バリア２１のシフト方向に対応した矢印状とする。
【００４７】
また、遮光バリア基板２５の判別領域３５に対応する位置には遮光バリア２６が形成さ
れていると共に、この遮光バリア２６には上述した３つのカラーフィルタ層１６ａ、１６
ｂ、１６ｃの何れか１つのみに平面視で重なる開口２８ａ、２８ｂ、２８ｃが設けられて
いる。
【００４８】
以上の構成を備える２画面液晶表示パネル２において、第１及び第２の画像の視方向を
変更した場合の判別領域３５の状態について以下に詳細に説明する。
【００４９】
先ず、図８に示す第１の態様としての２画面液晶表示パネル２は、視方向が中心線ＣＬ
に対して等角度に設定されている。この場合は、遮光バリア基板２５に形成された３つの
開口２８ａ、２８ｂ、２８ｃのうちの１つの開口２８ａと液晶表示基板１５に形成された
３つのカラーフィルタ層１６ａ、１６ｂ、１６ｃのうちの１つのカラーフィルタ層１６ａ
とは重なっている。したがって、この２画面液晶表示パネル２の判別領域３５を２画面液
晶表示パネル２表面から目視すると、開口２８ａを介して所定の形状、例えば矩形状に形
成されたドットのカラーフィルタ層１６ａが視認できるようになる。なお、この状態にお
いては開口２８ｂ、２８ｃは遮光層ＢＭにより遮光されており、単なる黒表示となる。
【００５０】
次に、視方向を変更した第２の形態として、２つの画像の視方向を左側にシフトした場
合について、図９を参照して説明する。
第２の形態の２画面液晶表示パネル２は、遮光フィルタ基板２５Ａが上記第１の形態に
示す遮光フィルタ基板２５と異なる。すなわち、この遮光フィルタ基板２５Ａは、図９に
示すように、液晶表示基板１５に対して僅かに左側にシフトした位置に遮光フィルタ２６
が設けられている。この場合には、図９と図８を対比すると明らかなように、第１及び第
２の画像の視方向が共に左側にシフトしている。
【００５１】
このように２つの画像の視方向を左へシフトした場合、遮光バリア基板２５Ａに形成さ
れた３つの開口２８ａ、２８ｂ、２８ｃのうちの１つの開口２８ｂと液晶表示基板１５に
形成された３つのカラーフィルタ層１６ａ、１６ｂ、１６ｃのうちの１つのカラーフィル
タ層１６ｂとは重なっている。したがって、この２画面液晶表示パネル２の判別領域３５
を２画面液晶表示パネル２表面から目視すると、開口２８ｂを介して所定の形状、例えば
左方向を示す矢印状に形成されたドットのカラーフィルタ層１６ｂが視認できるようにな
る。なお、この状態においては開口２８ａ、２８ｃは遮光層ＢＭにより遮光されており、
単なる黒表示となる。
【００５２】
次に、視方向を変更した第３の形態として、２つの画像の視方向を右側にシフトした場
合について、図１０を参照して説明する。
第３の形態の２画面液晶表示パネル２は、遮光フィルタ基板２５Ｂが上記第１の形態に
示す遮光フィルタ基板２５と異なる。すなわち、この遮光フィルタ基板２５Ｂは、図１０
に示すように、液晶表示基板１５に対して僅かに右側にシフトした位置に遮光フィルタ２
６が設けられている。この場合には、図１０と図８を対比すると明らかなように、第１及
び第２の画像の視方向が共に右側にシフトしている。
【００５３】
このように２つの画像の視方向を右へシフトした場合、遮光バリア基板２５Ｂに形成さ
れた３つの開口２８ａ、２８ｂ、２８ｃのうちの１つの開口２８ｃと液晶表示基板１５に
形成された３つのカラーフィルタ層１６ａ、１６ｂ、１６ｃのうちの１つのカラーフィル
タ層１６ｃとは重なっている。したがって、この２画面液晶表示パネル２の判別領域３５
を２画面液晶表示パネル２表面から目視すると、開口２８ｃを介して所定の形状、例えば
右方向を示す矢印状に形成されたドットのカラーフィルタ層１６ｃが視認できるようにな
る。なお、この状態においては開口２８ａ、２８ｂは遮光層ＢＭにより遮光されており、
単なる黒表示となる。
【００５４】
図８〜図１０を参照して示した第１〜第３の形態における判別領域３５の状況を図１１
にまとめている。この図１１を見ると分かるとおり、３つの形態における判別領域３５の
状態はそれぞれ異なるので、本実施形態に係る２画面液晶表示パネル２は、表面から判別
領域３５を視認するのみで簡単に液晶表示基板１５の各サブ画素と遮光フィルタ基板２５
の遮光フィルタ２６との相対位置関係が分かるようになる。
【００５５】
なお、この第２実施形態に係る２画面液晶表示パネル２の判別領域３５は、上記第１実
施態様の２画面液晶表示パネル１のように反射板１１等を備えていないため、この判別領
域３５の背面側から外光を照射して視認確認を行うことになる。したがって、この判別領
域３５の背面側には光を遮るバックライトＢＬは設けないものとする。ただし、上記実施
態様は判別手段としてカラーフィルタ層１６ａ、１６ｂ、１６ｃを用いているが、これに
代えて反射板を設けるようにしてもよく、この場合にはバックライトＢＬを判別領域の背
面まで設けていても問題ない。
【００５６】
このように、本発明の２画面液晶表示パネル１及び２においては、完成した２画面液晶
表示パネル１及び２を表面から目視するだけで遮光バリアのサブ画素に対する相対位置が
認識できるため、面倒な確認作業を行うことなく簡単に製品の最終確認を行うことができ
るようになる。
【図面の簡単な説明】
【００５７】
【図１】図１は第１実施形態に係る２画面液晶表示パネルを示す正面図である。
【図２】図２は第１の態様としての２画面液晶表示パネルを示した図１のII−II線の断面図である。
【図３】図３は第２の態様としての２画面液晶表示パネルを示した図２に対応する断面図である。
【図４】図４は第３の態様としての２画面液晶表示パネルを示した図２に対応する断面図である。
【図５】図５は図２〜図４に示す状態と第１及び第２の判別領域に視認されるマークとの関係を示す表である。
【図６】図６は第１実施形態の変形例を示すものであって図３に対応する断面図である。
【図７】図７は第２実施形態に係る２画面液晶表示パネルを示す正面図である。
【図８】図８は第１の態様としての２画面液晶表示パネルを示した図８のVIII−VIII線の断面図である。
【図９】図９は第２の態様としての２画面液晶表示パネルを示した図８に対応する断面図である。
【図１０】図１０は第３の態様としての２画面液晶表示パネルを示した図８に対応する断面図である。
【図１１】図１１は図８〜図１０に示す状態と判別領域に視認されるマークとの関係を示す表である。
【符号の説明】
【００５８】
１、２：２画面液晶表示パネル  １０、１５：液晶表示基板  １１：反射板  １２：（第
１及び第２の判別領域に設けられた）カラーフィルタ層  １６ａ〜１６ｃ：（判別領域に
設けられた）カラーフィルタ層  ２０、２０Ａ、２０Ｂ、２５、２５Ａ、２５Ｂ：遮光フ
ィルタ基板  ２１、２６：遮光フィルタ  ２２、２７：スリット  ２３Ｌ、２３Ｒ、２８
ａ〜２８ｃ：開口  ３０Ｌ：第１の判別領域  ３０Ｒ：第２の判別領域  ３５：判別領域
４１：接着剤  ４２、４３：偏光板  ＤＡ：表示領域  ＦＡ：表示枠  ＣＬ：（表示領
域の）中心線  ＢＭ：遮光層  ＲＬ、ＧＬ、ＢＬ、ＲＲ、ＧＲ、ＢＲ：（各サブ画素の）
カラーフィルタ層
【図１】
0005243053.tif 000002
【図２】
0005243053.tif 000003
【図３】
0005243053.tif 000004
【図４】
0005243053.tif 000005
【図５】
0005243053.tif 000006
【図６】
0005243053.tif 000007
【図７】
0005243053.tif 000008
【図８】
0005243053.tif 000009
【図９】
0005243053.tif 000010
【図１０】
0005243053.tif 000011
【図１１】
0005243053.tif 000012